(57)【要約】【課題】火災時に、ドアに設けられた断熱サッシの室外側部材と室内側部材が分離することを防止する。【解決手段】  開口部を有し、表裏が鋼板により覆われた防火ドア本体と、防火ドア本体の開口部の縁に設けた開口部枠と、表裏の鋼板を連結する補強材を備え、開口部枠は内形材と外形材とを断熱性を備える連結材により連結して成り、開口部枠の内形材及び外形材が補強材に連結されている。【選択図】図４
2015098714.tif 000002
【特許請求の範囲】
【請求項１】
開口部を有し、表裏が鋼板により覆われた防火ドア本体と、
防火ドア本体の開口部の縁に設けた開口部枠と、
表裏の鋼板を連結する補強材を備え、
開口部枠は内形材と外形材とを断熱性を備える連結材により連結して成り、
開口部枠の内形材及び外形材が補強材に連結されている
ことを特徴とする防火ドア。
【発明の詳細な説明】
【技術分野】
【０００１】
本発明は、建物開口部に設ける防火ドアに関する。
【背景技術】
【０００２】
従来より、玄関や勝手口に設けられるドアとして、断熱性を有する断熱ドアが知られているが、そのような断熱ドアに中窓を設ける場合には、たとえば下記特許文献１に見られるように、断熱性の低下を抑えるために、中窓として室内側部材と室外側部材とを樹脂製の連結部材により連結してなる断熱サッシを採用したものが知られている。
【先行技術文献】
【特許文献】
【０００３】
【特許文献１】特開２００３−３０１６６９号公報
【発明の概要】
【発明が解決しようとする課題】
【０００４】
最近は、ドアにおいて火災に対する安全性が求められており、中窓を設けた断熱ドアについても両面を鋼板で覆うなどして、所定時間火炎や煙の通過を阻止できる等の防火性能が求められている。
しかしながら、断熱ドア両面が鋼板で覆われていても、断熱ドアに設けた中窓の断熱サッシの樹脂製の連結部材が火災時の熱により溶解することによって、断熱サッシの室外側部材と室内側部材の連結を維持することができずに、室外側部材と室内側部材とが分離して障子等が脱落するなどして、十分な防火性能が得られなかった。
【０００５】
本発明は、上記事情を鑑みたものであり、火災時に、ドアに設けられた断熱サッシの室外側部材と室内側部材が分離することを防できる防火ドアを提供することを目的とする。
【課題を解決するための手段】
【０００６】
本発明は、
開口部を有し、表裏が鋼板により覆われた防火ドア本体と、防火ドア本体の開口部の縁に設けた開口部枠と、表裏の鋼板を連結する補強材を備え、開口部枠は内形材と外形材とを断熱性を備える連結材により連結して成り、開口部枠の内形材及び外形材が補強材に連結されていることを特徴とする。
【発明の効果】
【０００７】
本発明によれば、防火ドア本体の開口部に設けられた開口部枠の内形材と外形材が表裏の鋼板を連結する補強材に連結されているので、火災時の熱により連結材が溶解しても、開口部枠の内形材と外形材が分離されることが防止でき、ドアの開口部における室内外の連通を防止できる
【図面の簡単な説明】
【０００８】
【図１】本発明の実施形態に係る防火ドアを示す図であり、（ａ）は外観図、（ｂ）は内観図である。
【図２】本発明の実施形態に係る防火ドアの外観図（図１ａ）におけるＡ−Ａ縦断面図である。
【図３】本発明の実施形態に係る防火ドアの内観図（図１ｂ）におけるＢ−Ｂ横断面図である。
【図４】本発明の実施形態に係る防火ドアの開口部上枠と障子上部を示す縦断面図である。
【図５】本発明の実施形態に係る防火ドアの開口部下枠と障子下部を示す縦断面図である。
【図６】本発明の実施形態に係る防火ドアの開口部縦枠と障子戸先部を示す横断面図である。
【図７】本発明の実施形態に係る防火ドアの開口部縦枠と障子吊元部を示す横断面図である。
【発明を実施するための形態】
【０００９】
本発明の防火ドアの実施の形態を、図１に示す、防火ドア本体１の開口部に縦滑り出し式の開閉窓Ｗが設けられた防火採風玄関ドアの例を挙げて説明する。
【００１０】
（全体の構成）
本発明の防火採風玄関ドアは、防火ドア本体１に開口部が設けられ、開口部に室内側に滑り出して開口する縦滑り出し式の開閉窓Ｗが設けられて構成されている。開口部の室外側には網戸付き格子８が設置され、防火ドア本体１の上部には  ドアクローザーＣＬが設けられており、ヒンジにより建物の開口部に揺動自在に固定される。
【００１１】
（防火ドア本体の構成）
図２、３に示すように、防火ドア本体１は、断面Ｕ字状の樹脂フレーム１１を上下左右の四周に組んでなるフレーム枠の表裏面を鋼板１２ａ，１２ｂにより覆ってなるパネルにより構成されている。
各樹脂フレーム１１は、Ｕ字状の開口を防火ドア本体１の内方に向けてあり、鋼板１２ａ，１２ｂの四周端は樹脂フレーム１１の外周に沿うように屈曲され、パネルの各端面において、鋼板１２ａ，１２ｂと各樹脂フレーム１１と各樹脂フレーム内方に配置される各スチール補強材１３がネジ等により結合固定されている。
【００１２】
防火ドア本体１には開口部が設けられており、表裏を覆う鋼板１２ａ，１２ｂは開口部周縁付近でステンレス製補強材９１，９２，９３，９４により連結され、表裏の鋼板１２ａ，１２ｂが分離することを防止している。開口部の周縁には上枠２１、下枠２２、左右の縦枠２３，２４を四周組みして成る開口部枠２が設けられており、上框３１、下框３２、戸先框３３及び吊元框３４を四周框組みしその内周にガラスを嵌め込んで成る障子３が開口部枠２に支持される開閉機構４により、室内側に向けて開閉自在に支持されている。
【００１３】
（開口部枠の構成）
図４〜７に示すように、開口部枠２の上枠２１、下枠２２、左右の縦枠２３，２４は、アルミニウム合金製の外形材と内形材とを断熱性を有する連結材により連結して構成され、防火ドア本体１の表裏の鋼板１２ａ，１２ｂの間に配置されており、両側面が表裏の鋼板１２ａ，１２ｂにより覆われている。
【００１４】
外形材２１１，２２１，２３１，２４１は、その外周側に延びる固定部２１１ａ，２２１ａ，２３１ａ，２４１ａ、連結材２１３，２２３，２３３，２４３を保持する溝部２１１ｂ，２２１ｂ，２３１ｂ，２４１ｂ及び内周方向に延設された延設部２１１ｃ，２２１ｃ，２３１ｃ，２４１ｃとにより構成され、延設部２１１ｃ，２２１ｃ，２３１ｃ，２４１ｃは開閉窓Ｗの閉塞時に障子３の各框に対して室内外方向で重なり、その先端に室内側に向けて障子３の各框の室外側面に当接する気密材６１が取り付けられて戸当り部２１１ｄ，２２１ｄ，２３１ｄ，２４１ｄが形成されている。
【００１５】
内形材２１２，２２２，２３２，２４２は、その外周側に延びる固定部２１２ａ，２２２ａ，２３２ａ，２４２ａ、連結材２１３，２２３，２３３，２４３を保持する溝部２１２ｂ，２２２ｂ，２３２ｂ，２４２ｂ及び見込み面を形成する見込み面部２１２ｃ，２２２ｃ，２３２ｃ，２４２ｃとにより構成され、外形材と内形材のそれぞれの溝部に連結材が嵌合されることにより、外形材と内形材とが断熱されながら連結されて各枠が構成されている。
【００１６】
そして、上枠２１、下枠２２の内形材２１２，２２２の見込み面部２１２ｃ，２２２ｃの内周側には、障子３の開閉機構４を支持する中空矩形の上補助材２１４，下補助材２２４が配置され、外形材２１１，２２１の延設部２１１ｃ，２２１ｃと上下の補助材２１４，２２４とにより、連結材２１３，２２３に連続する内周方向に開口する空間Ｓ１，Ｓ２が形成されている。
【００１７】
上補助材２１４及び下補助材２２４の内部にはスチール補強材２１４ａ，２２４ａが配置されており、上補助材２１４及び下補助材２２４には障子３の開閉機構４がスチール補強材２１４ａ，２２４ａを介してネジ等により支持固定されている。また、上補助材２１４及び下補助材２２４の室内側面には閉塞時に開閉窓Ｗの障子３の上框３１、下框３２に当接する気密材６２が取り付けられている。
【００１８】
上枠２１及び下枠２２の外形材２１１，２２１を覆う鋼板１２ａの室外側面には、開口部縁に沿って気密材６３を介して上下の補助枠２１５，２２５が配置され、補助枠２１５，２２５の内周側縁端が室内方向に屈曲されて鋼板１２ａ及び外形材２１１，２２１の内周側端面を覆っている。そして、外形材２１１，２２１の延設部２１１ｃ，２２１ｃ、鋼板１２ａ及び上下の補助枠２１５，２２５は、リベット等により一体的に連結固定されている。
【００１９】
一方、左右の縦枠２３，２４の外形材２３１，２４１を覆う鋼板１２ａの室外側面には、開口部縁に沿って網戸付き格子８の格子縦枠８３，８４が配置されている。格子縦枠８３，８４には、その内周側縁端に室内側に向かって係止部８３ａ，８４ａが設けられており、係止部８３ａ，８４ａを外形材２３１，２４１の内周側端面に係合するとともに、固着手段等により、外形材２３１，２４１の延設部２３１ｃ，２４１ｃ、鋼板１２ａ及び格子縦枠８３，８４が一体的に連結固定されている。
【００２０】
上枠２１、下枠２２、左右縦枠２３，２４の内形材２１２，２２２，２３２，２４２を覆う鋼板１２ｂの室内側面には、開口部縁に沿って気密材６４を介して上額部枠２１６、下額部枠２２６、左右の縦額部枠２３６，２４６が配置され、各額部枠２１６、２２６、２３６、２４６の内周側縁端が室外方向に屈曲されて鋼板１２ｂ及び内形材２１２，２２２，２３２，２４２の内周側端面を覆っている。そして、内形材２１２，２２２，２３２，２４２、鋼板１２ｂ及び各額部枠２１６、２２６、２３６、２４６は、リベット等により一体的に連結固定されている。
【００２１】
（障子の構成）
開口部枠２に開閉自在に支持される障子３の上框３１、下框３２、戸先框３３、吊元框３４はアルミニウム合金製の外形材と内形材とを断熱性を有する連結材により連結して構成されている。
【００２２】
内形材３１２，３２２，３３２，３４２はガラス溝を構成するガラス保持部３１２ａ，３２２ａ，３３２ａ，３４２ａ、連結材３１３，３２３，３３３，３４３を保持する溝部３１２ｂ，３２２ｂ，３３２ｂ，３４２ｂ及び障子３の外周方向に延設される延設部３１２ｃ，３２２ｃ，３３２ｃ，３４２ｃとにより構成される。戸先框３３，吊元框３４の内形材３３２，３４２の延設部３３２ｃ，３４２ｃの先端にはステンレス製補強材９５，９６と係合する係合部３３２ｄ，３４２ｄが形成されている。
【００２３】
外形材３１１，３２１，３３１，３４１はガラス溝を構成するガラス保持部３１１ａ，３２１ａ，３３１ａ，３４１ａ、断面中空矩形の本体部３１１ｃ，３２１ｃ，３３１ｃ，３４１ｃ及び連結材３１３，３２３，３３３，３４３を保持する溝部３１１ｂ，３２１ｂ，３３１ｂ，３４１ｂとにより構成されており、本体部３１１ｃ，３２１ｃ，３３１ｃ，３４１ｃ内にはスチール補強材３１１ｄ，３２１ｄ，３３１ｄ，３４１ｄが配置されている。外形材と内形材のそれぞれの溝部に連結材が嵌合されることにより、外形材と内形材とが断熱されながら連結されて各框が構成されている。
【００２４】
障子３の上框３１、下框３２、戸先框３３、吊元框３４のガラス溝には、グレージングチャンネル９９を介してガラスパネルの縁部が嵌め込まれており、グレージングチャンネル９９の外周側にはステンレス製のガラス溝補強材９８がガラス溝の全長に亘って配置されている。
そして、開閉窓Ｗの閉鎖時には、各框３１，３２，３３，３４の外形材３１１，３２１，３３１，３４１の室外側面が開口部枠２の各枠２１，２２，２３，２４の外形材２１１，２２１，２３１．２４１に設けられた戸当り部２１１ｄ，２２１ｄ，２３１ｄ，２４１ｄの気密材６１に当接して、開口部枠２と障子３との間の気密がなされている。
【００２５】
上框３１及び下框３２の外形材３１１，３２１は、本体部３１１ｃ，３２１ｃ内のスチール補強材３１１ｄ，３２１ｄを介して開閉機構４にネジ等により連結固定されている。障子３の閉鎖時には、上框３１及び下框３２の内形材３１２，３２２の延設部３１２ｃ，３２２ｃが上下の補助材２１４，２２４の室内側面に設けられた気密材６２に当接している。
【００２６】
戸先框３３及び吊元框３４の外形材３３１，３４１の本体部３３１ｃ、３４１ｃの外周側面から内形材３３２，３４２の延設部３３２ｃ，３４２ｃの室外側面にかけて断面略Ｌ字型で短尺のステンレス製補強材９５，９６が配置され、延設部３３２ｃ，３４２ｃ先端の係合部３３２ｄ，３４２ｄに対して係合されるとともに外形材３３１，３４１にスチール補強材３３１ｄ，３４１ｄを介してリベット締め等により固定されることにより、戸先框３３及び吊元框３４の外形材と内形材との分離を防止している。
【００２７】
そして、戸先框３３及び吊元框３４の外形材３３１，３４１の本体部３３１ｃ，３４１ｃの外周側面には外周方向に開口して上下方向に延びる溝部３３１ｅ，３４１ｅが形成されており、戸先框３３の溝部３３１ｅ内周はステンレス製補強材９７により補強され、補強された溝部３３１ｅ内をロックピン４１が上下動自在に配置されている。
【００２８】
吊元框３４の溝部３４１ｅ内には、外周方向に向かって長手方向に亘って突出する突出片３４５が固定されており、突出片３４５が開閉窓Ｗの閉鎖時に生じる開口部枠２と障子３との間の空間に突き出して室内外に連通する大きな隙間が生じることを防止するとともに、開口部枠２と障子３との間の空間を区画して空間Ｓ３を形成している。
【００２９】
そして、開閉窓Ｗの吊元側の縦枠２４の内形材２４２の見込み面部２４２ｃには、内周方向に向かって反り防止片２４２ｄが設けられており、火災時の熱により室内側に湾曲する障子３の吊元框３４の突出片３４５に当接して、反りによる隙間の発生を抑えている。
【００３０】
（防火構造）
図４，５に示すように、障子３の上枠２１、下枠２２の見込み面の内周側に配置された上補助材２１４，下補助材２２４と外形材２１１，２２１の延設部２１１ｃ，２２１ｃとにより内周方向に開口する空間Ｓ１，Ｓ２が区画されており、上補助材２１４及び下補助材２２４の室外側面と外形材２１１，２２１の延設部２１１ｃ，２２１ｃの室内側面には熱膨張耐火材５１，５２，５３，５４が配置されている。
【００３１】
そして、火災時には、熱膨張耐火材５１，５２，５３，５４が空間Ｓ１，Ｓ２内で膨張して充満し、連結材２１３，２２３の燃焼時に発生する有毒な気体を防火ドア本体１内部に閉じ込めて外部に放出されるのを防止する。
さらに、膨張した熱膨張耐火材５１，５２，５３，５４は空間Ｓ１，Ｓ２よりあふれ出て戸当り部２１１ｄ，２２１ｄと障子３の上框３１、下框３２との間における室内外の連通を防止している。
【００３２】
一方、図６、７に示すように、縦枠２３，２４の見込み面には、外形材２３１，２４１と内形材２３２，２４２とを連結する連結材２３３，２４３を覆うように熱膨張耐火材５５，５６が配置されており、火災時に発生する熱により膨張して縦枠２３，２４と戸先框３３、吊元框３４との間の空間に充満して、連結材２３３，２４３の燃焼時に発生する有毒ガスを防火ドア本体１内に閉じ込めて放出されるのを防ぐと共に、縦枠２３，２４と障子３の戸先框３３、吊元框３４との間の連通を防止している。
【００３３】
特に、吊元框３４には、外周方向に向かって長手方向に亘って突出する突出片３４５が固定されており、突出片３４５により開口部枠２と障子３との間の空間を区画して空間Ｓ３が形成されているので、火災発生時には、空間Ｓ３に配置された熱膨張耐火材５６が発泡し、空間Ｓ３を効率よく充満することができ、障子３と開口部枠２との間の連通を防止することができる。
【００３４】
（ステンレス補強材による補強構造）
上枠２１、下枠２２、左右縦枠２３，２４の外周側には表裏の鋼板１２ａ、１２ｂを連結するステンレス製補強材９１，９２，９３，９４が配置され、その室外側部９１ａ，９２ａ，９３ａ，９４ａと各枠の外形材２１１，２２１，２３１，２４１の固定部２１１ａ，２２１ａ，２３１ａ，２４１ａと室外側の鋼板１２ａとがネジ等により共締めされ、その室内側部９１ｂ，９２ｂ，９３ｂ，９４ｂと各枠の内形材２１２，２２２，２３２，２４２の固定部２１２ａ，２２２ａ，２３２ａ，２４２ａと室内側の鋼板１２ｂとがネジ等により共締めされて連結固定されている。したがって、火災時に内形材と外形材とを連結する連結材が溶解しても内形材と外形材を連結したまま表裏の鋼板１２ａ，１２ｂに支持することができる。
【００３５】
ステンレス製補強材９１，９２，９３，９４は、ステンレス製の板材を折り曲げて形成される長尺部材であり、室外側部９１ａ，９２ａ，９３ａ，９４ａと室内側部９１ｂ，９２ｂ，９３ｂ，９４ｂとの間には、内周方向に屈曲される凸部９１ｃ，９２ｃ，９３ｃ，９４ｃが形成されている。なお、ステンレス製補強材は、短尺部材として形成されてもよい。
【００３６】
そして、凸部９１ｃ，９２ｃ，９３ｃ，９４ｃが各枠の内形材２１２，２２２，２３２，２４２の見込み面部２１２ｃ，２２２ｃ，２３２ｃ，２４２ｃに対して外周側よりネジ等により連結されている。
【００３７】
特に、上枠２１及び下枠２２の外周側に配置されるステンレス製補強材９１，９２の凸部９１ｃ，９２ｃには、内形材２１２，２２２の見込み面部２１２ｃ，２２２ｃと共にスチール補強材２１４ａ，２２４ａを介して上補助材２１４及び下補助材２２４が連結固定されるので、上補助材２１４及び下補助材２２４をスチール補強材２１４ａ，２２４ａ及びステンレス製補強材９１，９２を介して鋼板１２ａ，１２ｂにより支持することができる。
【００３８】
開閉窓Ｗの戸先側の縦枠２３の外周側に配置されるステンレス製補強材９３の凸部９３ｃには、内形材２３２の見込み面部２３２ｃと共に戸先框３３の見込み面に設けられるロックピン４１を係止するロック片４２が連結固定される。
【００３９】
なお、ステンレス製補強材９１，９２，９３，９４の室外側部９１ａ，９２ａ，９３ａ，９４ａ、室内側部９１ｂ，９２ｂ，９３ｂ，９４ｂ及び凸部９１ｃ，９２ｃ，９３ｃ，９４ｃの連結部は、断熱材ｐを介して外形材及び内形材に当接されており、連結部以外の部分は、各枠体に対して間隔を開けて配置されることにより、各枠の外形材と内形材との間の熱伝導を防いでいる。
【００４０】
以上のように、本発明の実施の形態における防火ドアは、開口部枠２を構成する各枠の外形材及び内形材が、鋼板１２ａ，１２ｂを連結しているステンレス製補強材９１，９２，９３，９４に対して固定されるので、鋼板１２ａ，１２ｂが離れることを防止しながら、火災時に内形材と外形材とを連結する連結材が溶解した際に、内形材と外形材が分離することを防止できる。
また、ステンレス製補強材９１，９２により障子３の開閉機構４を支持する上補助材２１４及び下補助材２２４が支持されるので、火災時の熱により連結材、さらにはアルミニウム合金製の内外形材等が溶解しても、障子３の開閉機構４をスチール補強材２１４ａ，２２４ａ及びステンレス製補強材９１，９２を介して鋼板１２ａ，１２ｂにより支持することができるので、障子３等が崩落する時間を延ばし、延焼や煙侵入を遅らせることができる。
【００４１】
なお、以上の実施の形態では、開口部に設けられる窓として縦滑り出し式の開閉窓を設置した防火採風玄関ドアを例示しているが、本発明の防火ドアの開口部に設けられる窓は断熱サッシであれば特に限定されるものではなく、嵌め殺しの断熱サッシを用いたものでも良い。
また、開口部枠２を構成する各枠の外形材及び内形材とステンレス製補強材９１，９２，９３，９４との固定は、鋼板１２ａ，１２ｂとの共締め固定に限られるものではなく、各枠の外形材及び内形材がステンレス製補強材９１，９２，９３，９４と鋼板１２ａ，１２ｂとの連結位置以外の位置で固定されていてもよい。さらに、ステンレス製補強材の位置は、上枠２１、下枠２２、左右縦枠２３，２４の外周側に限るものではない。
【符号の説明】
【００４２】
１  防火ドア本体
１２ａ，１２ｂ  鋼板
２  開口部枠
２１  上枠
２２  下枠
２３  戸先側の縦枠
２４  吊元側の縦枠
３  障子
３１  上框
３２  下框
３３  戸先框
３４  吊元框
４  開閉機構
４１  ロックピン
４２  ロック片
５１，５２，５３，５４，５５，５６  熱膨張耐火材
６１，６２，６３，６４  気密材
８  網戸付き格子
８３，８４  格子縦枠
９１，９２，９３，９４  ステンレス製補強材
Ｓ１，Ｓ２  空間
Ｓ３  空間
Ｗ  開閉窓
ｐ  断熱材
【図１】
2015098714.tif 000003
【図２】
2015098714.tif 000004
【図３】
2015098714.tif 000005
【図４】
2015098714.tif 000006
【図５】
2015098714.tif 000007
【図６】
2015098714.tif 000008
【図７】
2015098714.tif 000009